(57)【要約】【課題】利用者にとって利用し易い地震情報を受信できる防災支援システムを提供することを目的とする。【解決手段】メインサーバ１０と複数の地域に対応してそれぞれ設けられた再配信サーバ１２と、固有の識別情報を有する複数の受信端末１４とを含み、メインサーバ１０は、緊急地震速報を受信し、地震が予報された地域に対応した再配信サーバ１２に地震情報を送信し、再配信サーバ１２は、予め受信端末１４の識別情報を記憶しておき、地震情報を受信するとその記憶した識別情報に対応した受信端末１４に地震情報を無線通信網を介して送信し、受信端末１４は、地震情報を無線通信網を介して受信すると音声ガイダンスをスピーカ２０から音声出力する。【選択図】      図１
2016218523.tif 000002
【特許請求の範囲】
【請求項１】
メインサーバと、複数の地域に対応してそれぞれ設けられた再配信サーバと、固有の識別情報を有する複数の受信端末とを含む防災支援システムであって、
前記メインサーバは、
気象庁からの緊急地震速報（予報）からなる地震情報を受信し、前記地震情報が指定する地域に対応した前記再配信サーバに前記地震情報を送信し、
前記再配信サーバは、
自己の前記再配信サーバに所属する複数の前記受信端末の識別情報を予め所属識別情報として記憶しておき、前記地震情報を受信すると、前記所属識別情報に対応した前記受信端末に前記地震情報を無線通信網を介して送信し、
前記受信端末は、
前記地震情報を前記無線通信網を介して受信すると、前記地震情報に対応した音声ガイダンスをスピーカから出力する、
防災支援システム。
【請求項２】
前記メインサーバは、
前記気象庁からの津波情報を受信し、前記津波情報が指定する地域に対応した前記再配信サーバに前記津波情報を送信し、
前記再配信サーバは、
前記津波情報を受信すると、前記所属識別情報に対応した前記受信端末に前記津波情報を前記無線通信網を介して送信し、
前記受信端末は、
前記津波情報を前記無線通信網を介して受信すると、前記津波情報に対応した音声ガイダンスを前記スピーカから出力する、
請求項１に記載の防災支援システム。
【請求項３】
前記メインサーバは、
前記気象庁からの大雨情報を受信し、前記大雨情報が指定する地域に対応した前記再配信サーバに前記大雨情報を送信し、
前記再配信サーバは、
前記大雨情報を受信すると、前記所属識別情報に対応した前記受信端末に前記大雨情報を前記無線通信網を介して送信し、
前記受信端末は、
前記大雨情報を前記無線通信網を介して受信すると、前記大雨情報に対応した音声ガイダンスを前記スピーカから出力する、
請求項１に記載の防災支援システム。
【請求項４】
前記再配信サーバは、管理端末が接続され、
前記再配信サーバは、
前記管理端末からメールを受信すると、前記メールの文字データを音声データに変換し、前記所属識別情報を有する前記受信端末に前記音声データを前記無線通信網を介して送信し、
前記受信端末は、
前記音声データを前記無線通信網を介して受信すると、前記音声データを前記スピーカから出力する、
請求項１に記載の防災支援システム。
【請求項５】
前記受信端末は、ラジオ受信部も有し、
前記再配信サーバは、
前記管理端末からラジオの受信を指示するラジオ受信信号を受信すると、前記所属識別情報を有する前記受信端末に前記ラジオ受信信号を前記無線通信網を介して送信し、
前記受信端末は、
前記ラジオ受信信号を前記無線通信網を介して受信すると、前記ラジオ受信部で前記ラジオを受信して前記スピーカから出力する、
請求項４に記載の防災支援システム。
【請求項６】
前記受信端末は、前記地震情報、前記津波情報、前記大雨情報、又は、前記音声データを受信したことを照明装置の点灯、又は、点滅でも知らせる、
請求項１乃至４のいずれか一項に記載の防災支援システム。
【発明の詳細な説明】
【技術分野】
【０００１】
本願発明は、地震情報を受信する防災支援システムに関するものである。
【背景技術】
【０００２】
最近、気象庁では、地震災害の軽減に資するため、平成１９年から緊急地震速報（警報）及び緊急地震速報（予報）の一般提供を行っている。そして、気象庁長官の許可を得た地震動予報業務許可事業者（以下、単に「許可事業者」という）は、この緊急地震速報（予報）に含まれる予報資料（地震発生時刻、震源の位置、マグニチュード）に基づいて、任意の地点における震度及び主要動到達時刻の予想を行い緊急地震速報（業）を提供する事業を行っている。この場合、利用者は緊急地震速報（業）用の受信端末を設置し、緊急地震速報（予報）又は緊急地震速報（業）の配信を行う事業者（以下、「配信事業者」という）からの配信を受けて、緊急地震速報（業）を利用することになる。そして、気象庁よりこの受信端末に関してガイドラインが提案されている（非特許文献１参照）。
【先行技術文献】
【非特許文献】
【０００３】
【非特許文献１】緊急地震速報を適切に利用するために必要な受信端末の機能及び配信能力に関するガイドライン（気象庁発行、平成２３年４月２２日発行、平成２６年６月１９日一部追記）。
【発明の概要】
【発明が解決しようとする課題】
【０００４】
このようなガイドラインに基づいて幾つかの受信端末が提案されているが、実際には利用者にはなかなか普及せず、利用者はテレビ、ラジオ、携帯電話、スマートフォンなどで緊急地震速報を受信しなければいけないという問題点があった。
【０００５】
そこで、本発明は上記問題点に鑑み、利用者にとって利用し易い地震情報を受信できる防災支援システムを提供することを目的とする。
【課題を解決するための手段】
【０００６】
本発明は、メインサーバと、複数の地域に対応してそれぞれ設けられた再配信サーバと、固有の識別情報を有する複数の受信端末とを含む防災支援システムであって、前記メインサーバは、気象庁からの緊急地震速報（予報）からなる地震情報を受信し、前記地震情報が指定する地域に対応した前記再配信サーバに前記地震情報を送信し、前記再配信サーバは、自己の前記再配信サーバに所属する複数の前記受信端末の識別情報を予め所属識別情報として記憶しておき、前記地震情報を受信すると、前記所属識別情報に対応した前記受信端末に前記地震情報を無線通信網を介して送信し、前記受信端末は、前記地震情報を前記無線通信網を介して受信すると、前記地震情報に対応した音声ガイダンスをスピーカから出力する、防災支援システムである。
【発明の効果】
【０００７】
本発明によれば、利用者が受信端末を自宅などに設置しておくと、地震情報を受信したときにスピーカからの音声によって直ちに知ることができる。
【図面の簡単な説明】
【０００８】
【図１】本実施形態の防災支援システムの説明図である。
【図２】受信端末の斜視図である。
【図３】受信端末のブロック図である。
【発明を実施するための形態】
【０００９】
以下、本発明の一実施形態の防災支援システム１について図１〜図３に基づいて説明する。なお、この防災支援システム１は、上記で説明した気象庁のガイドラインに記載されている条件を具備し、許可事業者、配信事業者が運用する。
【００１０】
（１）防災支援システム１の構成
防災支援システム１の構成について、図１に基づいて説明する。防災支援システム１は、１台のメインサーバ１０、複数台の再配信サーバ１２、各再配信サーバ１２に属する複数台の受信端末１４、再配信サーバ１２を制御管理するための管理端末１６とから構成されている。まず、本明細書における主な用語について気象庁のガイドラインを参照して説明する。
【００１１】
「緊急地震速報（警報）」は、最大震度５弱以上と予想した場合に、予想した震度が４以上の地域（全国を１９０に分けた地域）に対して気象庁が発表する速報をいう。気象業務法に基づき、気象庁のみが発表する。
【００１２】
「緊急地震速報（予報）」は、マグニチュード３．５以上と推定、又は最大震度３以上を予測した場合、あるいは加速度が１００ガルを超えた地震動を検知した場合（以下、「１００ガル超え緊急地震速報」という）に気象庁が発表する速報をいう。新たに地震観測点で検知されたデータが加わり予想が更新される度に続報を発表する。緊急地震速報（予報）には、第１に許可事業者が地震動予報を行うための予報資料、第２に震源の推定精度（推定に使った観測点の数など）に関する情報（以下、「精度情報」という）、第３に緊急地震速報（警報）の発表状況が含まれている。以下ではこの１〜３をまとめて「予報資料等」という。
【００１３】
緊急地震速報（業）は、許可事業者が提供する緊急地震速報を緊急地震速報（業）という。なお、本明細書では、緊急地震速報（業）を単に「地震情報」という。
【００１４】
「許可事業者」は、予報資料等を用いて、気象庁長官の許可を得た予想の方法により地震動予報を行う事業者を意味する。又は、その方法に基づく地震動予報を行う端末について責任を持つ事業者をいう。
【００１５】
「配信事業者」は、緊急地震速報又は予報資料等を受信端末に配信する事業者を意味する。許可事業者と兼ねている場合も有り、本実施形態の防災支援システム１を実行するために、許可事業者と配信事業者は兼ねたものとなっている。
【００１６】
メインサーバ１０は、緊急地震速報（予報）又は予報資料等を受信端末１４に配信するために地震動予報を行い、それによって予報された地域に該当する再配信サーバ１２に地震情報を送信する。
【００１７】
再配信サーバ１２は、市町村毎、地域毎又は各団体（消防施設など）などにおいてそれぞれ設けられているものであり、メインサーバ１０から受信した地震情報を自己の再配信サーバ１２に所属する受信端末１４に送信する。再配信サーバ１２は、自己に所属する受信端末１４の固有の識別情報（例えば、固定ＩＰアドレスである）を記憶部５２に記憶しており、地震情報などが受信されると、直ちにこの固定ＩＰアドレスに対応した受信端末１４に地震情報などを送信する。この送信する場合に、セキュリティを確保するために、ＩＰ−ＶＰＮ３と携帯電話会社のネットワーク４を利用して配信する。なお、ＩＰ−ＶＰＮ（Internet Protocol Virtual Private Network）とは、通信事業者の保有する広域ＩＰ通信網を経由して構築される仮想私設通信網（ＶＰＮ）のことである。
【００１８】
受信端末１４は、再配信サーバ１２からの地震情報などを受信すると、それら情報を音声や照明装置などで利用者に知らせる。この受信端末１４については後から詳しく説明する。
【００１９】
（２）受信端末１４の構造
受信端末１４の構造について図２〜図３に基づいて説明する。図２は受信端末１４の斜視図であって、直方体形状の本体１８の前面にスピーカ２０、地震情報を受信したときに点灯又は点滅する照明装置である地震情報ランプ２２、津波情報を受信したときに点灯又は点滅する津波情報ランプ２４、大雨情報を受信したときに点灯又は点滅する大雨情報ランプ２６、管理端末１６を管理する行政機関から行政情報を受信したときに点灯又は点滅する行政情報ランプ２８、スピーカ２０の音量を調整する音量調整ボタン３０、電源が入っているときに点灯する電源ランプ３２、回線チェックや安否確認のときに操作するための押しボタン３４が設けられ、本体１８の上面には無線通信を行うためのアンテナ３６が設けられ、本体１８の背面からは電源コード３８が出ている。また、本体１８内部には停電時に作動する電池４０が組み込まれている。
【００２０】
受信端末１４の電気的構成について図３のブロック図に基づいて説明する。受信端末１４の本体１８内部にはマイクロコンピュータよりなる制御部４２が設けられ、この制御部４２にＬＥＤよりなる地震情報ランプ２２、津波情報ランプ２４、大雨情報ランプ２６、行政情報ランプ２８が接続され、また、アンテナ３６が接続された通信部４４、電源コード３８から電源を得る電源回路４６、音量調整ボタン３０によって音量調整が可能なスピーカ２０、後から説明する地震情報、津波情報、大雨情報、行政情報などの音声ガイダンスを記憶した記憶部５２、回線チェック部４８、安否確認部５０が接続されている。
【００２１】
（３）地震情報における動作状態
次に、気象庁のサーバ（以下、単に「気象庁サーバ」という）２から、緊急地震速報（予報）を受信したときの防災支援システム１の動作状態について説明する。
【００２２】
気象庁が発表する緊急地震速報（予報）を気象庁サーバ２からメインサーバ１０が受信し、メインサーバ１０は、発生した地震の推定された震源位置と推定されたマグニチュードの値を基に、気象庁の許可を受けた演算式を用い、市町村単位毎に１カ所の代表点を定め、その指定した地域における震度と到達までの残り時間（秒数）を演算し、震度が予め決めた値以上で、かつ、到達までの残り時間が１秒以上のとき、その地震の予報に該当する地域や団体に所属する再配信サーバ１２に送信する。この緊急地震速報（業）を受信した再配信サーバ１２は、所属する固有アドレスに対応した受信端末１４に地震情報を一斉送信する。また、その再配信サーバ１２は、自己を制御管理する管理端末１６にも地震情報を送信する。
【００２３】
それぞれの受信端末１４の制御部４２は、地震情報を再配信サーバ１２から受信すると、その受信した地震情報に対応した音声ガイダンスを記憶部５２から呼び出し、スピーカ２０から音声出力する。また、地震情報ランプ２２を点灯、又は、点滅させる。
【００２４】
受信端末１４の記憶部５２に記憶している音声ガイダンスには曖昧表現と詳細表現の２種類の音声ガイダンスが記憶されている。この表現の選択は、管理端末１６によって選択できる。曖昧表現では、震度と到達までの残り時間は具体的に表現せず、受信端末１４は、「チャイムの音、間もなく大きな揺れが来ます。揺れに備えて下さい。」、次の１０秒間で「チャイムの音、強い揺れが来ます。身の安全を確保し避難経路を確認して下さい。」とスピーカ２０から音声出力する。
【００２５】
詳細表現の場合には、震度と到達までの残り時間を１０秒毎に音声出力する。受信端末１４は、「チャイムの音、震度５弱の地震が来ます。２０秒前」、「チャイムの音、震度５弱の地震が来ます。１０秒前」とスピーカ２０から音声出力する。
【００２６】
気象庁が、緊急地震速報（予報）を取り消した場合には、キャンセル報として、受信端末１４は、「地震発生は誤報と判断されました。」とスピーカ２０から音声出力する。
【００２７】
（４）津波情報における動作状態
次に、津波情報における動作状態について説明する。津波情報には、津波注意報、津波警報、大津波警報がある。気象庁が発表する津波情報を気象庁サーバ２からメインサーバ１０が受信し、市町村単位毎に１カ所の代表点を定め、その指定地域における数値が予め決めた値以上であれば、メインサーバ１０は再配信サーバ１２を介して受信端末１４に一斉送信する。また、その再配信サーバ１２は、自己を制御管理する管理端末１６へも津波情報を送信する。
【００２８】
受信端末１４は、この津波情報を再配信サーバ１２から受信すると音声ガイダンスでスピーカ２０から音声出力すると共に、津波情報ランプ２４を点灯、又は、点滅させる。津波情報に関する音声ガイダンスも記憶部５２に予め記憶しておき、受信した津波情報に対応した音声ガイダンスを制御部４２が呼び出し、スピーカ２０から音声出力する。
【００２９】
津波注意報は、気象庁の発表をそのまま通報する。数時間〜数十時間発表が続く場合があるので、受信端末１４は、「効果音、津波注意報が発表されました。落ち着いて避難して下さい。」のコメントを１５分毎にスピーカ２０から１セット音声出力する。
【００３０】
津波警報は、気象庁の発表をそのまま通報する。数十分〜数時間、津波警報の発表が続く場合があるので、受信端末１４は、「効果音、津波警報が発表されました。落ち着いて避難して下さい。」のコメントを１５分毎にスピーカ２０から１セット音声出力する。
【００３１】
大津波警報は、気象庁の発表をそのまま通報する。数十分〜数時間、大津波注意報の発表が続く場合があるので、受信端末１４は、「効果音、大津波警報が発表されました。命を守る行動を取って下さい。」のコメントを１５分毎にスピーカ２０から１セット音声出力する。
【００３２】
気象庁が、津波警報及び大津波警報を解除した場合には、受信端末１４は、「津波警報が解除されました。」又は「大津波警報が解除されました。」の解除報のコメントをスピーカ２０から音声出力する。
【００３３】
（５）大雨情報における動作状態
次に、大雨情報における動作状態について説明する。大雨情報には、大雨注意報、大雨警報、大雨特別警報がある。気象庁が発表する大雨情報を気象庁サーバ２からメインサーバ１０が受信し、メインサーバ１０は、市町村単位に１カ所の代表点を定め、その指定地域における数値が予め決めた値以上で再配信サーバ１２を介して一斉に受信端末１４に送信する。また、その再配信サーバ１２は、自己を制御管理する管理端末１６にも大雨情報を送信する。
【００３４】
受信端末１４は、この大雨情報を再配信サーバ１２から受信すると、音声ガイダンスでスピーカ２０から音声出力すると共に、大雨情報ランプ２６を点灯、又は、点滅させる。大雨情報に関する音声ガイダンスは、記憶部５２に予め記憶しておき、受信した大雨情報に対応した音声ガイダンスを記憶部５２から制御部４２が呼び出し、スピーカ２０から音声出力する。
【００３５】
大雨注意報は、気象庁の発表をそのまま通報する。数時間〜数十時間、大雨注意報の発表が続く場合があるので、受信端末１４は、「効果音、大雨注意報が発表されました。落ち着いて避難して下さい、」のコメントを１５分毎にスピーカ２０から１セット音声出力する。
【００３６】
大雨警報は、気象庁の発表をそのまま通報する。数十時間〜数時間、大雨警報の発表が続く場合があるので、受信端末１４は。「効果音、大雨警報が発表されました。落ち着いて避難して下さい。」のコメントを１５分毎にスピーカ２０から１セット音声出力する。
【００３７】
大雨特別警報は、気象庁の発表をそのまま通報する。数十分〜数時間、大雨特別警報の発表が続く場合があるので、受信端末１４は、「効果音、大雨特別警報が発表されました。命を守る行動を取って下さい。」のコメントを１５分毎にスピーカ２０から１セット音声出力する。
【００３８】
気象庁が、大雨警報及び大雨特別警報を解除した場合には、受信端末１４は、「大雨警報が解除されました」又は「大雨特別警報が解除されました」の解除報のコメントをスピーカ２０から音声出力する。
【００３９】
（６）行政情報における動作状態
次に、行政情報における動作状態について説明する。上記したように各再配信サーバ１２は、市町村の行政機関の管理端末１６によって制御管理されている。そのため、各行政機関は再配信サーバ１２と受信端末１４を用いて、行政機関の行政情報を各受信端末１４にそれぞれ送信できる。その送信方法について説明する。
【００４０】
第１に、行政機関の担当者が、管理端末１６を用いて、知らせたい内容をメールで作成し、再配信サーバ１２に送信する。
【００４１】
第２に、再配信サーバ１２は、受信したメールの文字データ（例えば、テキストデータ）を音声データに変換する。
【００４２】
第３に、再配信サーバ１２は、変換した音声データを所属する固有ＩＰアドレスに対応した受信端末１４に一斉送信する。
【００４３】
第４に、受信端末１４は、再配信サーバ１２から行政情報の音声データを受信すると、制御部４２がその音声データをスピーカ２０を用いて再生する。これによって、利用者は行政情報を知ることができる。また、緊急で無い場合には、音声データを受信した時点で行政情報ランプ２８を点灯させ、利用者は必要なときに押しボタン３４を押すと、音声データが再生され必要な情報を得るようにしてもよい。
【００４４】
（７）安否確認部５０の動作状態
安否確認部５０は、地震情報、津波情報、又は、大雨情報を受信端末１４が受信してから、利用者が所定時間（例えば、５分）内に押しボタン３４を押すと、その利用者が生存していることを示す安否情報を再配信サーバ１２に送信する。再配信サーバ１２は、その安否情報を管理端末１６に再送信することにより、行政機関においてその利用者が生存していることを知ることができる。
【００４５】
（８）回線チェック部４８の動作状態
回線チェック部４８は、地震情報、津波情報、又は、大雨情報を受信していないときに利用者が押しボタン３４を押すと、チェック信号が再配信サーバ１２に送信され、再配信サーバ１２がそのチェック信号を受信すると受信端末１４に正常信号を返信する。受信端末１４の制御部４２では正常信号を受信すると、記憶部５２に記憶している音声ガイダンス（例えば、「回線は正常です。」である）をスピーカ２０から音声出力する。
【００４６】
（９）効果
本実施形態の防災支援システム１であると、受信端末１４が地震情報を受信すると音声によって利用者に知らせるため、利用者は直ちに地震情報を知ることができる。
【００４７】
また、受信端末１４は、無線通信によって地震情報を受信するため、設置等の手間を省くことができる。
【００４８】
また、利用者は、津波情報、大雨警報についても同様に音声で知ることができる。
【００４９】
また、地震情報、津波情報、大雨情報はそれぞれランプによって点灯又は点滅で知らせてもいるため、耳が不自由な利用者であってもこれら情報を直ちに知ることができる。
【００５０】
また、行政機関からの行政情報に関しても音声出力で知ることができる。一方、行政機関もメールで再配信サーバ１２に行政情報を送信するだけでよい。
【００５１】
また、再配信サーバ１２は、所属する受信端末１４を固定ＩＰアドレスで管理しているため、不要な受信端末１４に情報を送信しない。
【００５２】
（１０）変更例
受信端末１４の変更例について説明する。本変更例では、受信端末１４が、ラジオ受信部をさらに有している点にある。
【００５３】
本変更例では、動作状態について説明する。
【００５４】
第１に、行政機関の担当者が管理端末１６を用いて、特定のラジオ番組の受信を指示するラジオ受信信号を再配信サーバ１２に送信する。このラジオ番組は、その行政機関における地域において放送されているＦＭコミュニティ放送局の情報番組などである。
【００５５】
第２に、再配信サーバ１２は、ラジオ受信信号を受信すると、所属する受信端末１４に再送信する。
【００５６】
第３に、受信端末１４は、ラジオ受信信号を受信すると、ラジオ受信部で前記ラジオ番組を受信してスピーカ２０から出力する。
【００５７】
これにより、利用者は、行政機関が指示するラジオ番組を聞くことができ、行政機関の担当者も簡単に地域の利用者にラジオ番組を聞いてもらうことができる。
【００５８】
（１１）その他の変更例
上記実施形態では無線通信網としてＩＰ−ＶＰＮ３と携帯電話会社のネットワーク４を用いたが、これに限らず他の無線通信網を用いてもよい。
【００５９】
また、上記で説明した地震情報、津波情報、大雨情報などの音声ガイダンスはあくまでも例示であって、他の内容で音声を出力してもよい。
【００６０】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００６１】
１・・・防災支援システム、２・・・気象庁サーバ、１０・・・メインサーバ、１２・・・再配信サーバ、１４・・・受信端末、１６・・・管理端末、１８・・・本体、２０・・・スピーカ、２２・・・地震情報ランプ、２４・・・津波情報ランプ、２６・・・大雨情報ランプ、２８・・・行政情報ランプ、３６・・・アンテナ、５２・・・記憶部
【図１】
2016218523.tif 000003
【図２】
2016218523.tif 000004
【図３】
2016218523.tif 000005